(57)【特許請求の範囲】
【請求項１】
コンタクトとインシュレータと接続対象物をロックするロック部とを備え、前記接続対象物と接続するコネクタにおいて、前記インシュレータは前記接続対象物が挿入される挿入部を有し、前記コンタクトは当該コンタクトの接点部が前記挿入部内に位置するように前記インシュレータに保持され、かつ前記接続対象物の一面と接続するように構成され、前記ロック部は前記接続対象物と当接する当接部を有し、前記当接部には、前記接続対象物の他面と当接し当該コンタクトの接点部に向けて前記接続対象物を押圧しながら保持する第１の当接部と、前記接続対象物の側面と当接して前記側面を側方に向けて押圧する第２の当接部とが設けられ、前記第１及び第２の当接部は、夫々弾性を備えるとともに、互いに鋭角をなすことを特徴とするコネクタ。
【請求項２】
請求項１記載のコネクタにおいて、前記ロック部はコンタクトと一体成形されたことを特徴とするコネクタ。
【請求項３】
請求項１記載のコネクタにおいて、前記ロック部に突出部を設け、前記インシュレータに前記突出部と当接して前記ロック部の過剰変位を規制するストッパ部を設けたことを特徴とするコネクタ。
【発明の詳細な説明】
【０００１】
【発明の属する技術分野】
本発明は、ＩＣ等のソケットコネクタに関し、詳しくは、基板上の接続パッドに直接挿抜できるソケットコネクタに関する。
【０００２】
【従来の技術】
図１４及び図１５は従来技術によるソケットコネクタの一例を示す図である（特開平５−６２７４９号公報、参照）。
【０００３】
図１４及び図１５に示すように、ＩＣソケット１００は、多数のリード１０５を備えたＩＣ素子１０４を担持したキャリア１０３を、上記リード１０５に対応するコンタクト１０２が植設されているソケットベース１０１に装着することによって、上記リード１０５が上記コンタクト１０２上に載設されて上記リード１０５及び上記コンタクト１０２が接続されるよう構成されている。この従来の一例によるＩＣソケット１００において、コンタクト１０２は、キャリア１０３に対する係止部１０２ａと上記リード１０５に対する接触部１０２ｂとを有し、上記係止部１０２ａによって上記ソケットベース１０１に係止せしめられた上記キャリア１０３を介して付勢されることにより、上記接触部１０２ｂと上記リード１０５との接触圧力が増大するようになっている。
【０００４】
図１６は従来技術によるソケットコネクタの他の例を示す図である（特開平６−１５１０１６号公報、参照）。
【０００５】
図１６を参照すると、少なくとも相対向するニ側辺周端部に外部回路とその接続用電極が設けられた集積回路基板１１０と、その集積回路と電気的に接続される配線回路基板１２０と、その配線回路基板１２０上に実装され集積回路基板１１０と配線回路基板１２０との間に介在されるとともに、その上部に係止部１３１を有し、その係止部１３１より下方に離間する位置にリード端子の一端を湾曲状に形成した湾曲部１３２Ａが配置されたソケット１３０とを具備したものの、係止部１３１とリード端子１３２間の離間部に集積回路基板１１０の接続用電極が設けられた周端部を嵌入させ、基板周端部をリード端子の湾曲部と前記係止部で押止し、集積回路基板１１０の接続用電極とソケット１３０のリード端子１３２Ａが圧接するように直接接続するものである。
【０００６】
【発明が解決しようとする課題】
従来例では、ロックバネはインシュレータからなっており、樹脂の為、コンタクトの接触反力が大きいと、強度的に弱く変形したり、さらには、高温化では、変形し易くなり、ロックの役目を果たさなくなるという問題があった。
【０００７】
そこで、本発明の一技術的課題は、変形することがなく、しっかりとロックでき、ロックの外れ、及び変形を防止することができるソケットコネクタを提供することにある。
【０００８】
また、本発明のもう一つの技術的課題は、接触力が大きくなっても強度を確保でき、変形することはなく、しっかりとロックでき、ロックの外れ及び変形防止を更に確実にしたソケットコネクタを提供することにある。
【０００９】
【課題を解決するための手段】
本発明によれば、コンタクトとインシュレータと接続対象物をロックするロック部とを備え、前記接続対象物と接続するコネクタにおいて、前記インシュレータは前記接続対象物が挿入される挿入部を有し、前記コンタクトは当該コンタクトの接点部が前記挿入部内に位置するように前記インシュレータに保持され、かつ前記接続対象物の一面と接続するように構成され、前記ロック部は前記接続対象物と当接する当接部を有し、前記当接部には、前記接続対象物の他面と当接し当該コンタクトの接点部に向けて前記接続対象物を押圧しながら保持する第１の当接部と、前記接続対象物の側面と当接して前記側面を側方に向けて押圧する第２の当接部とが設けられ、前記第１及び第２の当接部は、夫々弾性を備えるとともに、互いに鋭角をなすことを特徴とするコネクタが得られる。
【００１０】
また、本発明によれば、前記コネクタにおいて、前記ロック部はコンタクトと一体成形されたことを特徴とするコネクタが得られる。
【００１１】
さらに、本発明によれば、前記コネクタにおいて、前記ロック部に突出部を設け、前記インシュレータに前記突出部と当接して前記ロック部の過剰変位を規制するストッパ部を設けたことを特徴とするコネクタが得られる。
【００１２】
【発明の実施の形態】
以下、本発明の実施の形態について図面を参照しながら説明する。
【００１３】
図１（ａ）は本発明の第１の実施の形態によるコネクタを示す平面図、図１（ｂ）は図１（ａ）のコネクタの側面図、及び図１（ｃ）は図１（ａ）のコネクタの正面図である。
【００１４】
図１（ａ）乃至図１（ｃ）を参照すると、ソケットコネクタ１０は、枠型のベースインシュレータ１とその両端に設けられたサイドインシュレータ２と、ベースインシュレータ１の下面に設けられた両側中央部を接続する自動実装するための吸着橋４とを備えている。この吸着橋４の両側には、嵌合される基板の表面に部品が実装できるように、部品実装窓１１ａが夫々形成されている。また、ベースインシュレータ１は、上面に、上方に突出して設けられた第１のボス部３を備えている。サイドインシュレータ２から内側に突出してコンタクト５が、サイドインシュレータ２の長さ方向に並んで複数設けられ、また、サイドインシュレータ２の上面には、このサイドインシュレータ２よりも内側に突出して、装着される接続対象物である基板をロックするためのロック部としてのロックバネ６を備えている。ロックバネ６は、サイドインシュレータ２に挿入される支持部６ａと、支持部６ａから３片に分かれて、基板の一面と当接する第１の当接部としての中央の引っ掛け部６ｂと、基板の角部又は側面と当接する第２の当接部としての両側の押圧部６ｃとを備えている。引っ掛け部６ｂと、押圧部６ｃとは、弾性を備えている。
【００１５】
また、ベースインシュレータ１の下面両側には、図示しない他の基板に実装するために、この基板の位置決め及び誤挿入防止用の穴に挿入される第２のボス部７を備えている。また、ベースインシュレータ１の下面の両端には、実装する第１の基板の導電パターン又はパッドに接続するために、幅方向に並んだ表面実装用端子（ＳＭＴ）部８を備えている。このＳＭＴ部８は、図示しない第１の基板に接続される。
【００１６】
ソケットコネクタ１０の上面のサイドインシュレータ２と、第１のボス部３に囲まれた空間は、第２の基板２０が装着される基板挿入溝１１となる。
【００１７】
図２は図１（ａ）のＩＩ−ＩＩ線に沿う断面図、及び図３は図２と同じ位置の断面における第２の基板を嵌合した状態を示す図である。
【００１８】
図２に示すように、サイドインシュレータ２のコンタクト収容部２ａにコンタクト５が収容されている。
【００１９】
コンタクト５は、山形に屈曲し，上面側が膨らんだ接点部５ａと、接点部５ａに連続し、接点部５ａと共に弾性を備えた支持部５ｂと、接点部５ａから支持部５ｂを介してＵ字状に屈曲した圧入部５ｃと、圧入部５ｃの他端下面から外方に第１の基板３０と平行になるように延在するＳＭＴ部８とを備えている。
【００２０】
また、ロックバネ６は、圧入部６ａと、圧入部６ａから３片に分かれた第１の当接部としての引っ掛け部６ｂと、押圧部６ｃとを備えている。
【００２１】
図３に示すように、第１の基板３０にソケットコネクタ１０が実装され、ＳＭＴ部８がパッドに半田付されている。ソケットコネクタ１０の嵌合相手である第２の基板２０が挿入溝１１に挿入された時に、ロックバネ６の押圧部６ｃが内方に矢印１２ｂの方向に移動し、第２の基板２０の側面を押圧する。一方、ロックバネ６の引っ掛け部６ｂは、第２の基板２０の上方への移動を係止する。コンタクト５は、第２の基板２０の下面を押圧して、ベースインシュレータ１の溝１ｂ内を、矢印１２ｄに示されるように下方に変位する。
【００２２】
図４は図１のソケットコネクタに装着される第２の基板２０を示す図であり、
（ａ）は上面図、（ｂ）は側面図、（ｃ）は正面図、（ｄ）は底面図である。
【００２３】
図４を参照すると、第２の基板２０は、両側にかつ位置ずれした位置に設けられたベースインシュレータ１の第１のボス部３と係合する、第１のボス部３と同様に両側において互いに位置ずれした位置決め及び誤挿入防止のための半円状の切リ欠き孔２３を備えている。また、下面の両端には、コンタクト５の接点部５ａに接触する接続パッド２４が幅方向に並んで設けられている。本例においては、両側にあわせて３２個である。
【００２４】
次に本発明の第１の実施の形態によるソケットコネクタの作用ついて説明する。
【００２５】
図１乃至３に図４をも参照して、インシュレータ両端にあるロックバネ６，６間の距離ｘは、第２の基板２０の長さｌよりも小さい（ｘ＜ｌ）ので、第２の基板２０の挿入時、ロックバネ６，６は矢印１２ｂ方向に弾性変位し、復元して、引っ掛け部６ｂが第２の基板２０の上面の端部に引っかかり、ロックする。
【００２６】
コンタクト５の接点５ａと、ロックバネ６の引っ掛け部６ｂとの隙間距離ｙは、第２の基板２０の板厚よりも小さい（ｔ＞ｙ）ので、コンタクト５は弾性変位して第２の基板２０の下面の接続パッドと電気的に接続する。
【００２７】
本発明では、ロックバネ６を別部材の金属で形成するので、接触力が大きくなっても強度が強いので、変形することがなく、しかりとロックできる。また、本ロックバネ６は、引っ掛け部６ｂと押圧部６ｃをもち、これはロック性の向上に一役かっている。それは、図３のロック状態でロックバネ６を矢印１２ｂ方向に弾性変形し、第２の基板２０に矢印１２ｃ方向に力を加えている。この力により、第２の基板２０は下方に押圧され、ロック性を向上させている。また、コンタクト５からの接触反力により引っ掛け部６ｂでロックバネ６が上方に、ロックが外れる方向に変位しようとしても押圧部６ｃが第２の基板２０の側面（角）に当たり、その方向への変位を規制するので、ロックの外れ、及び変形の防止となる。
【００２８】
次に、本発明の第２の実施の形態について図面を参照しながら説明する。
【００２９】
図５（ａ）は本発明の第２の実施の形態によるコネクタを示す平面図、図５（ｂ）は図５（ａ）のコネクタの側面図、及び図５（ｃ）は図５（ａ）のコネクタの正面図である。図６は図５（ａ）のＶＩ−ＶＩ線に沿う断面図、及び図７は図６と同じ位置の断面における第２の基板を装着した状態を示す図である。
【００３０】
図５（ａ）〜図５（ｃ）を参照すると、コネクタ５０は、ベースインシュレータ１とその両側に設けられたサイドインシュレータ１３と、両側中央部下面を接続する自動表面実装のための吸着橋４とを備えている。
【００３１】
ベースインシュレータ１は、上面両側に互いに位置ずれして設けられた複数の第１のボス部３を備えている。第１のボス部３は、接続対象物（嵌合相手）である第２の基板２０の位置決め及び誤挿入防止のために設けられている。サイドインシュレータ１３から内側に突出して一体に設けられた接触ロック部材１５を備えている。接触ロック部材１５は、コンタクト１８及びロック部としてのロックバネ１７を備えている。ロックバネ１７及びコンタクト１８は、インシュレータの固定部１３ａ内に設けられた圧入部１５ｂを備えている。ロックバネ１７は、圧入部１５ｂの上下方向の中央部１５ｂから上方に移動し、サイドインシュレータ１３の天井面１３ｃに支持される支持部１７ａと、支持部１７ａから下方に延びて内側に向かって突出する第１の当接部としての引っ掛け部１７ｂと、引っ掛け部１７ｂから段をなして下方に突出する第２の当接部としての押圧部１７ｃとを備えている。また、コンタクト１５は、圧入部１５の下方から内側に向かって延び上が丸く突出した山型となるようにＵ字状に屈曲した中央部１８ａと、中央部から内側に向かって延びるバネ部１８ｃと、バネ部から上方に突出する突出部１８ｂとを備えている。
【００３２】
また、ベースインシュレータ１の下面両側には、第２の基板２０への実装をするための位置決め及び誤挿入防止のための左右位置ずれした第２のボス部７を備えている。また、ベースインシュレータ１の下面の両端には、第２の基板２０の導電パターン又はパッドに接続するために、幅方向に並んでＳＭＴ部１６を備えている。このＳＭＴ部１６は、図示しない第１の基板３０のパッドに半田付け等によって接続される。
【００３３】
コネクタ上面のサイドインシュレータ１３に囲まれた空間は、第２の基板が装着される基板挿入溝５１となる。
【００３４】
図６に示すように、サイドインシュレータ１３の接触ロック部材収容部１３ａに接触ロック部材１５が収容されている。
【００３５】
接触ロック部材１５は、コンタクト１８と、ロックバネ１７とが一体に形成されており、圧入部１５ｂを備えている。また、圧入部１５ｂの外方下面から外方に基板と平行になるように延在するＳＭＴ部１６を備えている。コンタクト１８は、圧入部１５ｂの下方から内側に延び山形をなすようにＵ字形状に屈曲した中央部１８ａと、中央部から内側斜め上方に延びるバネ部１８ｃと、バネ部１８ｃの一端から上方に向かって延在する接点部１８ｂとを備えている。
【００３６】
また、ロックバネ１７は、圧入部１５ｂの中央部から上方に延在して屈曲して、天井面に装着されて支持される支持部１７ａと、支持部１７ａから下方に延在して引っ掛け部１７ｂと、これと段をなした押圧部１７ｃとを備えている。引っ掛け部１７ｂと押圧部１７ｃとは、弾性を備えている。
【００３７】
図７に示すように、第１の基板３０の穴部に第２のボス部を介して位置決め及び誤挿入が防止されて、ＳＭＴ部１６において半田付けされている（ＳＭＴ実装）。ここで、第２の基板２０が沿う挿入溝５１に挿入された時に、コンタクト１８の接点部１８ｂと、第２の基板２０の裏面の導電パターン又はパッド２４とが接触し、第２の基板２０は、接点部１８ｂを下方に矢印２５ａに示すように変位させるとともに、引っ掛け部１７ｂは、基板の上面に係合するとともに、内側に変位して、基板の上面に係合するとともに、矢印２５ｂに示される方向に基板に圧力を加えてロックする。尚、第２の基板２０は、図４で示されるものと同様なものを用いている。
【００３８】
次に本発明の第２の実施の形態によるソケットコネクタの作用について、説明する。
【００３９】
両端にあるロックバネ間の距離ｘは、第２の基板２０の長さｌよりも小さい（ｘ＜ｌ）ので、第２の基板２０の挿入時、ロックバネ１７は弾性変形し、その後復元して引っ掛け部１７ｂが第２の基板２０の上面の端部に引っかかり、ロックする。コンタクト１８の接点１８ｂと引っ掛け部１７ｂの隙間ｙは第２の基板２０の板厚よりも小さい（ｔ＞ｙ）ので、接触バネは弾性変位して第２の基板２０の下面の接続パッド２４と電気的に接続する。
【００４０】
このように、本発明の第２の実施の形態では、ロックバネ１７をコンタクト（接触バネ）１８と一体の金属で形成した接触ロック部材１５としているので、接触力が大きくなっても強度を確保でき、変形することはなく、しっかりとロックできる。また、ロックバネ１７の弾性変形部の先端に引っ掛け部１７ｂと押圧部１７ｃを持ち、これはロック性の向上に一役かっている。それは、図７のロック状態でロックバネ１７は、弾性変形し、第２の基板２０に矢印２５ｂで示される方向に力を加えている為、第２の基板２０は下方に押圧され、ロック性を向上させる。また、コンタクト１８からの接触反力により、引っ掛け部１７ｂでロックバネが上方にロックがはずれる方向に変位しようとしても、押圧部１７ｃが第２の基板２０の側面に当たり、その方向への変位を規制するので、ロックの外れ及び変形防止となる。
【００４１】
図８（ａ）は本発明の第３の実施の形態によるコネクタを示す平面図、図８（ｂ）は図８（ａ）のコネクタの側面図、及び図８（ｃ）は図８（ａ）のコネクタの正面図である。図９は図８（ａ）のＡ−Ａ線に沿う部分断面図である。
【００４２】
図８（ａ）乃至図８（ｃ）を参照すると、ソケットコネクタ４０は、枠型のベースインシュレータ３１とその両端に設けられたサイドインシュレータ３２と、ベースインシュレータ３１の下面に設けられた両側中央部を接続する自動実装するための吸着橋４とを備えている。また、ベースインシュレータ３１は、上面に、上方に突出して設けられた第１のボス部３を備えている。サイドインシュレータ３２から内側に突出して接触ロック部材３５が、サイドインシュレータ３２の長さ方向に並んで複数設けられている。底面には、基板実装の位置決め用のボス部７を備えている。
【００４３】
図９に示すように、この接触ロック部材３５は、コンタクト３８と、ロックバネ３７と、圧入部３５ｂとを一体に備えている。ロックバネ３７は、サイドインシュレータ３２の上面で、このサイドインシュレータ３２よりも内側に突出して、装着される接続対象物である基板をロックするためのロック部として機能する。圧入部３５ｂは上端にサイドインシュレータ３２の接触ロック部材収容孔３２ａ内に圧入保持されるため圧入突起３５ａを上端に備え、側部には半円状の切り込みを備え、下端には外方及び下方に突出して基板に実装用のＳＭＴ部３６を備えている。圧入部３５ｂの下方内側から、分岐して内側に延びるように、コンタクト３８及びロックバネ３７が形成されている。ロックバネ３７は、サイドインシュレータ３２内で、上方に延びて内側にＬ字状に屈曲し、更に、接触ロック部材収容孔３２ａの天井面に当接してその上方への変位を阻止される支持部３７ｄを形成して折れ曲がって下方に延びた先の尖った引っ掛け部３７ｂを形成するバネ本体３７ａと、この引っ掛け部３７ｂよりも収容孔３２ａ内の内側の部分から下方に延びる押圧部３７ｃとを備えている。引っ掛け部３７ｂは、第２の基板の一面と当接し、押圧部３７ｃは、基板の角部又は側面と当接する。バネ本体３７ａ及び押圧部３７ｃは、夫々弾性を備え、これら引っ掛け部３７ｂ及び押圧部３７ｃは、第２の当接部として機能する。
【００４４】
また、コンタクト３８は、ロックバネ３７よりも内側に形成され、上方に延び下方にＵターンするコンタクト本体３８ａと、コンタクト本体３８から内側に延びる接点部３８ｃとを備え、この接点部３８ｃの先端３８ｂは上方を向くように折れ曲がって形成され、第２の基板２０（図７参照）の下面の導電パターン又はパッド２４（図４参照）と圧接される第１の当接部として機能する。
【００４５】
図８（ｃ）を再び参照して、ベースインシュレータ３１の下面両側には、図示しない他の基板（第１の基板）に実装するために、この基板の位置決め及び誤挿入防止用の穴に挿入される第２のボス部７を備えている。また、ＳＭＴ部３６は、ベースインシュレータ３１の下面の両端には、実装する第１の基板の導電パターン又はパッドに接続するために、幅方向に並んで設けられている。このＳＭＴ部３６は、図示しない第１の基板に接続される。
【００４６】
ソケットコネクタ４０の上面のサイドインシュレータ２と、第１のボス部３に囲まれた空間は、第２の基板２０が装着される基板挿入溝１１となる。
【００４７】
図９に示す状態から第２の基板が挿入される動作は図６及び図７に説明したものと同様であるので、ここでは説明を省略する。
【００４８】
図１０を参照すると、図９のソケットコネクタにおいては、第２の基板２０を挿入する際に、ざらざらした摩擦の大きい基板の側面がロックバネの引っ掛け部に引っかかり、下方にそのまま移動する所謂お辞儀をしてしまい、図示のように、第２の基板がインシュレータ３１の底面３１ａに到達しても、引っ掛け部３７ｂによるロックが働かないようなことがある。このようなことを更に改善したものが次の図１１乃至図１３に示す本発明の第４の実施の形態によるソケットコネクタである。
【００４９】
図１１（ａ）は本発明の第４の実施の形態によるコネクタの部分断面図であり、図８（ａ）のＡ−Ａ線断面図と同等の部位を示している。図１１（ｂ）は図１１（ａ）で示すコネクタの図８（ｂ）のＡで示す部位と同等の部位を示す部分拡大側面図である。図１２（ａ）は図１１（ａ）のコネクタの基板装着動作の説明に供せられる部分断面図、図１２（ａ）は図１１（ａ）のコネクタの基板装着動作の説明に供せられる部分断面図、図１３は図１１（ａ）のコネクタの基板装着動作の説明に供せられる部分断面図で、ロックされた状態を示す部分断面図である。
【００５０】
図１１（ａ）、図１１（ｂ）、図１２（ａ），図１２（ｂ）、及び図１３を参照すると、第４の実施の形態によるソケットコネクタは、接触ロック部材３５のロックバネ３７の一側面に突出したダボ３７ｂを備えている。また、サイドインシュレータ３２の接触ロック部材収容孔３２ａにおいて、ロックバネ３５のダボ３７ｂに対応する位置にストッパ面であるストッパ部３２ｃを備えた凹部（ダボ溝）３２ｂを備えている点で第３の実施の形態によるものとは異なっている。
【００５１】
次に、第４の実施の形態によるコネクタの動作について説明する。
【００５２】
図３に示したものと同様に、第１の基板３０（図７参照）にソケットコネクタが実装され、ＳＭＴ部３６は第１の基板３０のパッドに半田付される。
【００５３】
図１１（ａ）及び図１１（ｂ）の状態から、図１２（ａ）及び図１２（ｂ）に示すように、ソケットコネクタの嵌合相手である第２の基板２０が挿入溝１１に挿入された時に、ロックバネ３７の押圧部３７ｃが接触ロック部材収容孔３２ａの内方に移動するとともに、第２の基板２０の側面を押圧する。一方、コンタクト３８の先端部３８ｂは基板の下面に当接しながら下方に移動する。ここで、ロックバネ３７の引っ掛け部３７ｂは、第２の基板２０によって内側へ移動するが、ダボ３７ｅが収容孔３２ａの凹部３２ｂの下端面であるストッパ面３２ｃに突き当たるために、それ以上のロックバネ３７の下方への移動が阻止される。
【００５４】
コンタクト３８は、第２の基板２０の下面を押圧して、ベースインシュレータ３１の溝内を、下方に変位する。
【００５５】
図１３に示すように、第２の基板２０の側面に突き当て部３７ｃが当接するとともに、接触部３８の上方への復帰力によって第２の基板２０が上方に常に付勢されるので、第２の基板２０の端部上面に引っ掛け部３７ｂが係合して、第２の基板２０がロックされる。
【００５６】
このように、本発明の第４の実施の形態では、第２及び第３の実施の形態と同様に、ロックバネ３７をコンタクト（接触バネ）３８と一体の金属で形成した接触ロック部材３５としているので、接触力が大きくなっても強度を確保でき、変形することはなく、しっかりとロックできる。また、ロックバネ３７の弾性変形部の先端に引っ掛け部３７ｂと押圧部３７ｃを持ち、これはロック性の向上に一役かっている。それは、図１３に示すロック状態でロックバネ３７は、弾性変形し、第２の基板２０に斜め下方向に力を加えている為、第２の基板２０は下方に押圧され、ロック性を向上させる。また、コンタクト３８からの接触反力により、引っ掛け部３７ｂでロックバネが上方にロックがはずれる方向に変位しようとしても、押圧部３７ｃが第２の基板２０の側面に当たり、その方向への変位を規制するので、ロックの外れ及び変形防止となる。
【００５７】
さらに、本発明の第４の実施の形態によるソケットコネクタにおいては、ロックバネ３７にダボ３７ｅを設けているので、第２の基板２０の側面に引っ掛け部３７ｂが引っかかり、下方に移動してロックができなくなることを防止し、ロックの外れや変形防止をさらに確実なものとすることができる。
【００５８】
【発明の効果】
以上説明したように、本発明によれば、ロックバネを別部材の金属で形成するので、接触力が大きくなっても強度が強いので、変形することがなく、しっかりとロックでき、ロックの外れ、及び変形を防止することができるソケットコネクタを提供することができる。
【００５９】
また、本発明では、ロックバネをコンタクトと一体の金属で形成しているので、接触力が大きくなっても強度を確保でき、変形することはなく、しっかりとロックでき、ロックの外れ及び変形防止を更に確実にしたソケットコネクタを提供することができる。
【００６０】
さらに、本発明では、ロックバネにダボを設けて、ロックバネの異常な下方の移動及び変形を防止しているので、更に，ロックの外れ及び変形防止を確実にしたソケットコネクタを提供することができる。
【図面の簡単な説明】
【図１】（ａ）は本発明の実施の形態によるコネクタを示す平面図である。
（ｂ）は図１（ａ）のコネクタの側面図である。
（ｃ）は図１（ａ）のコネクタの正面図である。
【図２】図１（ａ）のＩＩ−ＩＩ線に沿う断面図である。
【図３】図２と同じ断面における第２の基板を嵌合した状態を示す図である。
【図４】図１のソケットコネクタに装着される第２の基板を示す図であり、（ａ）は上面図、（ｂ）は側面図、（ｃ）は正面図、（ｄ）は底面図である。
【図５】（ａ）は本発明の第２の実施の形態によるコネクタを示す平面図である。
（ｂ）は図５（ａ）のコネクタの側面図、
（ｃ）は図５（ａ）のコネクタの正面図である。
【図６】図５（ａ）のＶＩ−ＶＩ線に沿う断面図である。
【図７】図６と同じ位置の断面における第１の基板上に実装され、第２の基板が装着された状態を示す図である。
【図８】（ａ）は本発明の第３の実施の形態によるコネクタを示す平面図である。
（ｂ）は（ａ）のコネクタの側面図である。
（ｃ）は（ａ）のコネクタの正面図である。
【図９】図８（ａ）のＡ−Ａ線に沿う部分断面図である。
【図１０】図８（ａ）のコネクタの不具合の説明に供せられる図である。
【図１１】（ａ）は本発明の第４の実施の形態によるコネクタの部分断面図であり、図８（ａ）のＡ−Ａ線断面図と同等の部位を示している。
（ｂ）は（ａ）で示すコネクタの図８（ｂ）のＢで示す部位と同等の部位を示す部分拡大側面図である。
【図１２】（ａ）は図１１（ａ）のコネクタの基板装着動作の説明に供せられる部分断面図である。
（ｂ）は図１１（ａ）のコネクタの基板装着動作の説明に供せられる部分拡大側面図である。
【図１３】図１１（ａ）のコネクタの基板装着動作の説明に供せられる部分断面図で、ロックされた状態を示す部分断面図である。
【図１４】従来技術によるソケットコネクタの一例を示す図である。
【図１５】従来技術によるソケットコネクタの一例を示す図である。
【図１６】従来技術によるソケットコネクタの他の例を示す図である。
【符号の説明】
１    ベースインシュレータ
１ｂ    溝
２    サイドインシュレータ
２ａ    コンタクト収容部
３    第１のボス部
４    吸着橋
５    コンタクト
５ａ    接点部
５ｂ    支持部
５ｃ    圧入部
６    ロックバネ
６ａ    圧入部
６ｂ    引っ掛け部
６ｃ    押圧部
７    第２のボス部
８    ＳＭＴ部
１０    ソケットコネクタ
１１    基板挿入溝
１３    サイドインシュレータ
１３ａ    固定部
１３ｃ    天井面
１５    接触ロック部材
１５ｂ    圧入部
１６    ＳＭＴ部
１７    ロックバネ
１７ａ    支持部
１７ｂ    引っ掛け部
１８    コンタクト
１８ａ    中央部
１８ｂ    突出部
１８ｃ    バネ部
２０    第２の基板
２３    切リ欠き孔
２４    導電パターン又は接続パッド
３０    第１の基板
３１    ベースインシュレータ
３２    サイドインシュレータ
３２ａ    コンタクト収容孔
３２ｂ    ダボ溝
３２ｃ    ストッパ（面）部
３５    接触ロック部材
３５ａ    圧入突起
３５ｂ    コンタクト支持部
３６    ＳＭＴ部
３７    ロックバネ
３７ａ    バネ本体
３７ｂ    引っ掛け部
３７ｃ    押圧部
３７ｄ    突出部
３７ｅ    ダボ
３８    コンタクト
３８ａ    コンタクト本体
３８ｂ    接点部
３８ｃ    弾性部
４０    ソケットコネクタ
５０    ソケットコネクタ
５１    挿入溝
１００    ＩＣソケット
１０１    ソケットベース
１０２    コンタクト
１０２ａ    係止部
１０２ｂ    接触部
１０３    キャリア
１０４    ＩＣ素子
１０５  リード
１１０    集積回路基板
１２０    配線回路基板
１３０    ソケット
１３１    係止部
１３２    リード端子
１３２Ａ    湾曲部
【図１】
0003605800.tif 000002
【図２】
0003605800.tif 000003
【図３】
0003605800.tif 000004
【図４】
0003605800.tif 000005
【図５】
0003605800.tif 000006
【図６】
0003605800.tif 000007
【図７】
0003605800.tif 000008
【図８】
0003605800.tif 000009
【図９】
0003605800.tif 000010
【図１０】
0003605800.tif 000011
【図１１】
0003605800.tif 000012
【図１２】
0003605800.tif 000013
【図１３】
0003605800.tif 000014
【図１４】
0003605800.tif 000015
【図１５】
0003605800.tif 000016
【図１６】
0003605800.tif 000017